(57)【要約】      （修正有）【課題】クラッチＯＦＦ状態の認識精度を向上させて、誤操作を確実に防止できる魚釣用リールを提供する。【解決手段】魚釣用リールは、操作部材２１が押圧操作力により押し込まれてスプールが釣糸放出状態（クラッチＯＦＦ状態）に切り換えられた際に操作部材２１に節度感のある抵抗力を付与する抵抗力付与手段８０，８２を備える。【選択図】図５
2020099254.tif 000002
【特許請求の範囲】
【請求項１】
リール本体に回転可能に支持されるスプールと、前記スプールを釣糸放出状態と釣糸巻取状態との間で切り換え可能にするクラッチ機構とを備え、前記クラッチ機構は、前記リール本体に設けられる操作部材が押圧操作力により押し込まれた状態に保持されることにより前記スプールを前記釣糸巻取状態から前記釣糸放出状態へ切り換えるとともに、前記操作部材を押し込まれた状態に保持している前記押圧操作力が解除された時点で前記スプールを前記釣糸巻取状態に復帰させる、魚釣用リールにおいて、
前記操作部材が前記押圧操作力により押し込まれて前記スプールが前記釣糸放出状態に切り換えられた際に前記操作部材に節度感のある抵抗力を付与する抵抗力付与手段を備えることを特徴とする魚釣用リール。
【請求項２】
前記抵抗力付与手段は、前記操作部材又は該操作部材の動きに連動する可動部材と前記リール本体又は該リール本体に固定される固定部材との間に介在して設けられることを特徴とする請求項１に記載の魚釣用リール。
【請求項３】
前記抵抗力付与手段により付与される前記抵抗力が弾性部材の弾発力によりもたらされることを特徴とする請求項１又は２に記載の魚釣用リール。
【請求項４】
前記抵抗力付与手段は、前記可動部材及び前記固定部材の一方に設けられる凹部と、前記可動部材及び前記固定部材の他方に設けられて前記凹部に係合可能な凸状部材と、前記凸状部材を前記凹部に係合させる方向に付勢する付勢部材とを有することを特徴とする請求項２又は３に記載の魚釣用リール。
【請求項５】
前記抵抗力付与手段が前記抵抗力の付与時に音を発することを特徴とする請求項１から４のいずれか一項に記載の魚釣用リール。
【発明の詳細な説明】
【技術分野】
【０００１】
本発明は、リール本体の側板間に回転自在に支持されたスプールを釣糸巻取状態と釣糸放出状態とに切換えるクラッチ機構を備える魚釣用リールに関する。
【背景技術】
【０００２】
対象魚、釣り場、釣りの時間帯等によっては、実釣時に、ポイントへキャストした仕掛けが着水すると同時に魚が食い付くことがあり、そのような場合には、糸ふけを防止するべく親指の腹で軽くスプールを押さえるサミング操作をしているその手の親指でスプールの釣糸巻着面又はスプールフランジ外周を強く圧接することにより、或いは、ハンドルを回転操作してクラッチ機構を釣糸巻取状態に復帰させることにより、魚を針に掛けるフッキング（合わせ操作）を行なうことになるため、確実且つ迅速な合わせ操作を行なうことが難しく、したがって、魚を逃がしてしまったり、仕掛けが岩場や水草等に引き込まれて根掛かり等のトラブルが生じ易くなり、釣果に大きく影響する。
【０００３】
このような事態は、スプールを釣糸放出状態から釣糸巻取状態へとスムーズに移行させることができれば、ある程度防止できる。そのため、例えば特許文献１及び特許文献２は、リール本体を保持する手の親指で操作部材を押圧操作している最中にのみピニオンをスプールから離脱させてスプールを釣糸放出状態（クラッチＯＦＦ状態）に保持し、操作部材への押圧が解除されるとスプールを釣糸巻取状態（クラッチＯＮ状態）に瞬時に復帰させるクラッチ機構を搭載した魚釣用リールを提案している。
【０００４】
具体的には、特許文献１のクラッチ機構は、クラッチ操作部材の移動量を外部操作部材の回動位置で規制して、クラッチ操作部材の押圧移動規制範囲内でのみクラッチＯＦＦ状態を実現する構造形態を成す。一方、特許文献２のクラッチ機構は、デットポイントバネの基端の係止位置を外部操作により変位させて、クラッチ操作部材の移動範囲にわたってデットポイントを無くす（デットポイントバネがクラッチＯＮ位置からデットポイントを越えてクラッチＯＦＦ位置へと振り分けられてクラッチＯＦＦ状態が保持されないようにする）ことにより、クラッチＯＦＦ状態からクラッチＯＮ状態への瞬時の移行を可能にしている。
【先行技術文献】
【特許文献】
【０００５】
【特許文献１】特開昭５９−１０２３４３号公報
【特許文献２】特許第１６１４５０８号
【発明の概要】
【発明が解決しようとする課題】
【０００６】
ところで、前述した特許文献１及び特許文献２に開示されるクラッチ機構において、クラッチ操作部材によってクラッチＯＮ状態からクラッチＯＦＦ状態へと切り換えてクラッチＯＦＦ状態を保持する操作は、リール本体を保持した手の親指でクラッチ操作部材を押圧してその押し切った状態を保持することにより行なわれ、その場合、ユーザ（釣人）は、その保持している状態をクラッチＯＦＦ状態と認識して仕掛けの放出操作を行なうとともに、親指による押圧状態を解除することによりクラッチＯＮ状態に復帰させて合わせ操作（フッキング）を行なっているのが現状である。
【０００７】
そのため、実釣時において、このようなクラッチ操作部材による押圧／解除操作が頻繁に繰り返されると、指が疲労して指の感覚が鈍る場合があり、また、釣り場の寒さの影響等も加わると、クラッチ操作部材を完全に押し切っていない状態（クラッチＯＦＦ状態になっていない状態）でクラッチＯＦＦ状態であると誤って認識し、仕掛けをキャストしてしまう場合がある。そのような場合には、釣糸の切断、仕掛けの紛失、或いは、クラッチ機構の摩耗・故障等のトラブルが生じる虞がある。
【０００８】
本発明は、上記した問題に着目してなされたものであり、クラッチＯＦＦ状態の認識精度を向上させて、誤操作を確実に防止できる魚釣用リールを提供することを目的とする。
【課題を解決するための手段】
【０００９】
上記した目的を達成するために、本発明は、リール本体に回転可能に支持されるスプールと、前記スプールを釣糸放出状態と釣糸巻取状態との間で切り換え可能にするクラッチ機構とを備え、前記クラッチ機構は、前記リール本体に設けられる操作部材が押圧操作力により押し込まれた状態に保持されることにより前記スプールを前記釣糸巻取状態から前記釣糸放出状態へ切り換えるとともに、前記操作部材を押し込まれた状態に保持している前記押圧操作力が解除された時点で前記スプールを前記釣糸巻取状態に復帰させる、魚釣用リールにおいて、前記操作部材が前記押圧操作力により押し込まれて前記スプールが前記釣糸放出状態に切り換えられた際に前記操作部材に節度感のある抵抗力を付与する抵抗力付与手段を備えることを特徴とする。
【００１０】
上記構成の魚釣用リールによれば、操作部材が押圧操作力により押し込まれてスプールが釣糸放出状態に切り換えられた際に操作部材に節度感のある抵抗力を付与する抵抗力付与手段が設けられているため、魚釣用リールのユーザ（釣人）は、操作部材の押し込み操作時のクラッチＯＦＦ位置（スプールが釣糸放出状態に切り換わった位置）で、従来の押圧作動感とは異なる節度感のある抵抗力を操作部材を介して認識でき（抵抗力が例えば操作部材を操作する親指に作用する）、したがって、スプールの釣糸放出状態（クラッチＯＦＦ状態）を確実に把握できる。言い換えると、操作部材を完全に押し切っていない状態では、操作部材の操作に抵抗力が付与されないため、この状態をクラッチＯＦＦ状態であると誤って認識することがなく、したがって、クラッチＯＦＦ状態になっていない状態で誤って仕掛けをキャストしてしまうといった事態を回避でき、釣糸の切断、仕掛けの紛失、或いは、クラッチ機構の摩耗・故障等のトラブルを生じさせないで済む。このように、本発明によれば、操作部材の押圧操作時の押し切りによるクラッチＯＦＦ認識に、節度のある抵抗を付加させて、認識感度の向上を図っているため、クラッチを切り換えてキャスティングを行なう一連の操作において誤操作を確実に防止できる。
【００１１】
なお、上記構成において、「節度感のある抵抗力」とは、少なくとも触覚（例えば手元に感じるクリック感）によって操作部材の操作位置（クラッチＯＦＦ位置）をユーザに感じさせる抵抗力のことであり、この抵抗力は、釣糸放出状態から釣糸巻取状態へと機械的にスムーズに移行させることができる（操作部材をクラッチＯＦＦ位置からクラッチＯＮ位置へと違和感なくスムーズに戻し操作できる）程度の大きさであることが好ましい。また、操作部材を押し込む操作方向としては、下方又は前方など、様々な方向を想定することができ、また、操作部材の移動形態も、回動又はスライド等、様々な形態を想定することができる。また、上記構成において、クラッチ機構は、操作部材が押圧操作力により押し込まれた状態に保持されることによりスプールを釣糸巻取状態から釣糸放出状態へ切り換えるとともに、操作部材を押し込まれた状態に保持している押圧操作力が解除された時点でスプールを釣糸巻取状態に復帰させるという機能を少なくとも実現できればよく、したがって、そのような機能と他の機能（例えば、クラッチＯＮ状態とクラッチＯＦＦ状態とが完全に振り分けられる機能、操作部材の操作位置がクラッチＯＮ位置とクラッチＯＦＦ位置とに振り分けられ、操作部材に対する押圧操作力が解除されてもクラッチＯＦＦ位置が機械的に保持される機能など）とを例えば外部操作により切り換えることができるようになっていてもよく（例えば、前述した特許文献２参照）、或いは、操作部材を押し込み操作している時にしかクラッチＯＦＦ状態を実現できなくてもよい。
【００１２】
また、上記構成において、抵抗力付与手段は、操作部材又は該操作部材の動きに連動する可動部材とリール本体又は該リール本体に固定される固定部材との間に介在して設けられてもよい。具体的には、例えば、操作部材とリール本体を構成するフレームとの間、又は、操作部材の動きに連動するクラッチ機構のクラッチカムと前記フレームとの間に抵抗力付与手段が介挿して設けられてもよい。これによれば、より簡単に抵抗力付与手段を配設することも可能になり、操作部材に対して抵抗力を効果的に作用させることができる。
【００１３】
また、上記構成では、抵抗力付与手段により付与される抵抗力が弾性部材の弾発力によりもたらされてもよい。これによれば、省スペースで効率的に抵抗力を操作部材に対して付与することが可能となり、また、抵抗力の付与及びその解除も容易に実現できる。この場合の一例として、抵抗力付与手段は、可動部材及び固定部材の一方に設けられる凹部と、可動部材及び固定部材の他方に設けられて凹部に係合可能な凸状部材（例えば係合ピンや板バネ突起など）と、凸状部材を凹部に係合させる方向に付勢する付勢部材とを有してもよい。これによれば、弾性部材の弾発力による抵抗力付与を簡単な構造で実現できるとともに、付勢部材の付勢力による凸状部材と凹部との係合に伴う保持力が操作部材を押し込まれた状態に保持している押圧操作力を補助するように作用し得るため、クラッチＯＦＦ位置にある操作部材を軽い力で保持する（支える）ことができ、ユーザの操作に伴う疲れを軽減できる。
【００１４】
また、上記構成では、抵抗力付与手段が抵抗力の付与時に音（例えばクリック音）を発することが好ましい。これによれば、操作部材のクラッチＯＦＦ位置（釣糸放出状態）を触覚だけではなく聴覚によっても報知できるため、クラッチＯＦＦ状態の認識精度を更に向上させることができる。
【発明の効果】
【００１５】
本発明によれば、クラッチＯＦＦ状態の認識精度を向上させて、誤操作を確実に防止できる魚釣用リールが得られる。
【図面の簡単な説明】
【００１６】
【図１】本発明の一実施形態に係る魚釣用リールの断面図である。
【図２】図１の魚釣用リールの上面図である。
【図３】図１の魚釣用リールにおいて、クラッチ機構の動力伝達部分の構成を示す一部断面を有する側面図（クラッチＯＮ状態）である。
【図４】図３のクラッチＯＮ状態における要部拡大縦断面図である。
【図５】図１の魚釣用リールにおいて、クラッチ機構の動力伝達部分の構成を示す一部断面を有する側面図（クラッチＯＦＦ状態）である。
【図６】図５のクラッチＯＦＦ状態における要部拡大縦断面図である。
【発明を実施するための形態】
【００１７】
以下、図面を参照しながら本発明の実施形態について説明する。
図１および図２に示されるように、本実施形態に係る魚釣用リール１は、左右フレーム２ａ，２ｂと、これら左右フレーム２ａ，２ｂに装着される円形状の左右側板３ａ，３ｂとによってリール本体が構成されている。左右フレーム２ａ，２ｂは、複数の支柱を介して一体化されており、下方の支柱には、釣竿のリールシートに装着されるリール脚２ｃが設けられている（図３参照）。
【００１８】
左右フレーム２ａ，２ｂ（左右側板３ａ，３ｂ）間には、スプール軸５が軸受６を介して回転可能に支持されており、このスプール軸５には、釣糸が巻回されるスプール５ａが取り付けられている。
【００１９】
右フレーム２ｂおよび右側板３ｂには軸受８を介してハンドル軸９が回転可能に支持されており、ハンドル軸９の端部にはハンドル９ａが装着されている。この場合、ハンドル９ａを回転操作すると、その操作力は、駆動力伝達機構１０を介してスプール５ａに伝達され、スプール５ａを回転駆動するようになっている。なお、ハンドル軸９は、右側板３ｂとの間に介在された転がり式の一方向クラッチ１１（逆転防止機構）によって、釣糸巻取方向にのみ回転可能となっている。
【００２０】
また、右フレーム２ｂと右側板３ｂとの間には、駆動力伝達機構１０の駆動力の伝達を継脱するクラッチ機構１２と、魚釣時にスプール５ａから釣糸が繰り出された際にスプール５ａにドラグ力を付与する公知のドラグ機構１３とが収容されている。
【００２１】
なお、ハンドル９ａの近傍には、ドラグ機構１３によるドラグ力の調整を行なうためのドラグ調整ノブ１３ａが設けられており、また、スプール５ａの前側には、スプール５ａに対して釣糸を均一に平行巻きするためのレベルワインド機構５０が設けられている。また、スプール５ａの後側（スプール５ａに対してレベルワインド機構５０と反対側に位置する側）の左右フレーム２ａ，２ｂ（左右側板３ａ，３ｂ）間には、スプール５ａに当て付く指（親指）を載置できる指当て部材（サムレスト）としての機能も有するクラッチ機構１２の操作部材２１が設けられている。
【００２２】
駆動力伝達機構１０は、ハンドル軸９に回転可能に支持された駆動歯車１４と、この駆動歯車１４に噛合するピニオン１５とを備えている。ピニオン１５は、スプール軸５と同軸的に延出し且つ右側板３ｂに軸受を介して回転可能に支持されたピニオン軸５ｂ（スプール軸５ａと一体形成され又は別体に形成される）に設けられており、このピニオン軸５ｂに沿って軸方向に移動できる。また、ピニオン１５の外周には円周溝１５ａが形成されており、この円周溝１５ａには、ピニオン１５を軸方向に移動させるクラッチ機構１２の後述するヨーク２２が係合している。
【００２３】
また、ピニオン１５は、スプール軸５の端部に形成された断面が非円形の係合部９４と嵌合する嵌合部９２を端部に有しており（図４及び図６も参照）、ヨーク２２によってスプール５ａ側に移動されると、嵌合部９２がスプール軸５の係合部９４に嵌合状態で係合して（図４参照）ハンドル９ａの操作力（駆動歯車１４の回転駆動力）をスプール軸５（スプール５ａ）に伝達する（クラッチＯＮ状態（釣糸巻取状態））とともに、ヨーク２２によって右側板３ｂ側に移動されると、嵌合部９２がスプール軸５の係合部９４から外れて（図６参照）ハンドル９ａの操作力をスプール軸５（スプール５ａ）に伝達しない（クラッチＯＦＦ状態（釣糸放出状態））。
【００２４】
図３に示されるように、クラッチ機構１２は、スプール軸５（ピニオン軸５ｂ）を中心に回動可能なクラッチ作動板（クラッチカム）２０と、クラッチ作動板２０の回動動作に連動してピニオン軸５ｂに沿って移動するヨーク２２とを備えている。この場合、ヨーク２２は、ピニオン１５の円周溝１５ａに略１８０°に亘って嵌合するとともに、径方向に延出する一対の腕部２２ａ，２２ｂを有している。
【００２５】
また、クラッチ作動板２０は、その外周側で周方向に沿って延びるアーム部２０Ａの折れ曲がり端部２０Ａａがフレーム２ｂに上下方向に形成された連結孔２ｄを介して操作部材２１に一体的に連結されている。
【００２６】
操作部材２１は、スプール５ａを釣糸巻取状態（スプール５ａの釣糸巻取方向への回転のみを許容する状態）と釣糸放出状態（スプール５ａを自由に正逆回転させる状態）とに切換えるためのクラッチレバーとして構成されており、クラッチ作動板２０と一体に回動して、連結孔２ｄに沿って上下に移動できる。
【００２７】
クラッチ作動板２０の表面には、ヨーク２２と係合可能な一対のカム面２３が形成されている。これらのカム面２３は、クラッチ作動板２０の回動に伴ってヨーク２２の各腕部２２ａ，２２ｂの裏面に対して係脱し、ヨーク２２をピニオン軸５ｂに沿って移動させる。なお、ヨーク２２は、右フレーム２ｂに突設された支持ピン２５によって各腕部２２ａ，２２ｂが保持されており、各支持ピン２５に配設されたバネ部材９０（図４及び図６参照）によりクラッチ作動板２０に向けて常時付勢されている。
【００２８】
また、右フレーム２ｂにはボス（ネジの軸部）２６が突設されるとともに、クラッチ作動板２０のアーム部２０Ａにはボス２６が係合する周方向溝２７が形成されている。これらの周方向溝２７およびボス２６は、周方向溝２７の両端にボス２６が突き当たることにより、クラッチ作動板２０の回動範囲を規定する。
【００２９】
右フレーム２ｂとクラッチ作動板２０との間には、付勢手段としてのバネ２８が介挿されている。このバネ２８は、カム面２３がヨーク２２の各腕部２２ａ，２２ｂの裏面から離脱する位置（クラッチＯＮ状態・・・図３及び図４の状態）へとクラッチ作動板２０を回動させる（図３において時計周りに回動させる）ように常時付勢する。
【００３０】
したがって、このような構成のクラッチ機構１２において、図３及び図４に示されるクラッチＯＮ状態では、バネ２８の付勢力によりクラッチ作動板２０を介して操作部材２１が上側に位置されている。また、このクラッチＯＮ状態では、クラッチ作動板２０のカム面２３が作動部材２２の各腕部２２ａ，２２ｂの裏面から離脱して、ヨーク２２と係合するピニオン１５がスプール軸５と係合している。したがって、この状態でハンドル９ａを回転操作すると、その操作力は、駆動歯車１４及びピニオン１５を介してスプール軸５に伝達され、スプール５ａを釣糸巻取方向に回転させることができる。
【００３１】
一方、このクラッチＯＮ状態から、図３に示されるように操作部材２１に親指Ｔを載置した状態で、操作部材２１を押圧操作して（押圧操作力を作用させて）下方に移動させる（押し込み操作する）と、この動作がクラッチ作動板２０に伝えられ、このクラッチ作動板２０をバネ２８の付勢力に抗して図３において反時計周りに回動させる。
【００３２】
このようにしてクラッチ作動板２０が回動すると、クラッチ作動板２０のカム面２３は、ヨーク材２２の各腕部２２ａ，２２ｂの裏面に係合し、各支持ピン２５に配設されたバネ部材９０の付勢力に抗してヨーク２２をクラッチ作動板２０から離間させるようにピニオン軸５ｂに沿って移動させる。そして、この移動により、ヨーク２２と係合するピニオン１５がスプール軸５から完全に外れる（クラッチＯＦＦ）。このとき、操作部材２１の完全押し込み位置では、バネ２８のデッドポイトを越えないようになっている。そのため、クラッチ機構１２は、操作部材２１が押圧操作力により押し込まれた状態に保持されることによりスプール５ａを釣糸巻取状態（図３及び図４の状態）から釣糸放出状態（図５及び図６の状態）へ切り換えるが、操作部材２１を押し込まれた状態に保持している押圧操作力が解除された時点でスプール５ａを釣糸巻取状態へと瞬時に復帰させる。つまり、クラッチ機構１２は、操作部材２１が介在する動作では、操作部材２１が押し込み操作されているときにしかクラッチＯＦＦ状態を実現できない。
【００３３】
しかしながら、クラッチ機構１２の他の機能により、クラッチＯＮ状態とクラッチＯＦＦ状態とが（例えばバネ２８のデッドポイントを越えて）完全に振り分けられてクラッチＯＦＦ状態が機械的に保持されるようになっていてもよい。そのような場合には、クラッチをＯＦＦ状態からＯＮ状態にする自動復帰機構３０（図３及び図５参照）がクラッチ作動板２０に設けられてもよい。この自動復帰機構３０は、クラッチ作動板２０に一体的に設けられるキック部材３１と、ハンドル軸９に回り止め固定されるラチェット３２とを備えており、キック部材３１は、クラッチＯＮ状態からクラッチＯＦＦ状態へと切り換えられると、図５に示すように、ラチェット３２の回転軌跡内に侵入するように配置、構成されている。このため、クラッチＯＦＦ状態において、ハンドル９ａを巻き取り操作すると、ラチェット３２の回転により、キック部材３１は、キックされて自動的にクラッチ作動板２０をクラッチＯＮ状態の位置に復帰させ、バネ２８のバネ力で保持される。
【００３４】
以上のようなクラッチ機構１２の構成及び作用に加えて、本実施形態では、操作部材２１が前述したように押圧操作力により押し込まれてスプール５ａが釣糸放出状態に切り換えられた際に操作部材２１に節度感のある抵抗力を付与する抵抗力付与手段が設けられている。具体的に、そのような抵抗力付与手段は、操作部材２１又は該操作部材２１の動きに連動する可動部材とリール本体又は該リール本体に固定される固定部材との間に介在して設けられる。特に、本実施形態では、抵抗力付与手段が、前記可動部材であるクラッチ作動板２０のアーム部２０Ａの裏面（右フレーム２ｂと対向する面）に設けられる凹部（係合穴）８０と、前記固定部材である右フレーム２ｂに設けられて凹部８０に係合可能な係合ピン（凸状部材）８２と、係合ピン８２を凹部８０に係合させる方向に付勢する付勢部材としてのバネ８４とを有しており、操作部材２１が押圧操作力により押し込まれてクラッチ作動板２０（アーム部２０Ａ）が回動しスプール５ａが釣糸放出状態に切り換えられた時点で、凹部８０が係合ピン８２に対して係脱可能に係合する（図５及び図６参照）ようになっている。したがって、操作部材２１を操作するユーザ（釣人）は、触覚（例えば手元に感じるクリック感）によって操作部材２１のクラッチＯＦＦ位置を従来の押圧作動感とは異なる節度感のある抵抗力（弾性部材であるバネ８４の弾発力によりもたらされる）によって感じ取ることができるだけでなく、凹部８０と係合ピン８２との係脱時に生じるクリック音によっても操作部材２１のクラッチＯＦＦ位置を聴覚で感じ取ることができるようになる。この場合、節度感のある抵抗力は、釣糸放出状態から釣糸巻取状態へと機械的にスムーズに移行させることができる（操作部材２１をクラッチＯＦＦ位置からクラッチＯＮ位置へと違和感なくスムーズに戻し操作できる）程度の大きさであることが好ましく、そのため、特に本実施形態では、凹部８０と係合する係合ピン８２の頭部は、先細る円錐台状の周面８２ａを有するとともに、凹部８０もそれに対したテーパ状の内面を有する係合穴として形成される。
【００３５】
なお、本実施形態では、クラッチＯＦＦ位置で互いに係合する凹部８０及び係合ピン８２が設けられているが、これに加えて、クラッチＯＮ位置で互いに係合する別個の凹部及び係合ピンが設けられても構わない。また、本実施形態では、凹部８０がクラッチ作動板２０（可動部材）側に設けられ、係合ピン８２が右フレーム２ｂ（固定部材）側に設けられているが、これと逆の配置形態であっても構わない。すなわち、凹部８０が右フレーム２ｂ（固定部材）側に設けられ、係合ピン８２がクラッチ作動板２０（可動部材）側に設けられていてもよい。
【００３６】
以上説明したように、本実施形態の魚釣用リールによれば、操作部材２１が押圧操作力により押し込まれてスプール５ａが釣糸放出状態に切り換えられた際に操作部材２１に節度感のある抵抗力を付与する抵抗力付与手段８０，８２，８４が設けられているため、魚釣用リールのユーザ（釣人）は、操作部材２１の押し込み操作時のクラッチＯＦＦ位置（スプール５ａが釣糸放出状態に切り換わった位置）で、節度感のある抵抗力を操作部材２１を介して認識でき、したがって、スプール５ａの釣糸放出状態（クラッチＯＦＦ状態）を確実に把握できる。言い換えると、操作部材２１を完全に押し切っていない状態では、操作部材２１の操作に抵抗力が付与されないため、この状態をクラッチＯＦＦ状態であると誤って認識することがなく、したがって、クラッチＯＦＦ状態になっていない状態で誤って仕掛けをキャストしてしまうといった事態を回避でき、釣糸の切断、仕掛けの紛失、或いは、クラッチ機構の摩耗・故障等のトラブルを生じさせないで済む。
【００３７】
また、本実施形態では、抵抗力付与手段が係合ピン８２、凹部８０、及び、バネ８４によって構成されているため、弾性部材の弾発力による抵抗力付与を簡単な構造で実現できるとともに、バネ８４の付勢力による係合ピン８２と凹部８０との係合に伴う保持力が操作部材２１を押し込まれた状態に保持している押圧操作力を補助するように作用し得るため、クラッチＯＦＦ位置にある操作部材２１を軽い力で保持する（支える）ことができ（係合ピン８２と凹部８０との係合に伴う保持力が無ければバネ２８の付勢力に抗して例えば１８００ｋｇｆの作動力で操作部材２１を押し込まなければならないところを、例えば５００ｋｇｆ程度の軽い力で操作部材２１を押し込むだけで済む）、ユーザの操作に伴う疲れを軽減できる。
【００３８】
なお、本発明は、前述した実施形態に限定されず、その要旨を逸脱しない範囲で種々変形して実施できることは言うまでもない。例えば、前述した実施形態では、操作部材の押し込み方向が上下方向であったが、この方向に限定されない。操作部材を押し込む操作方向としては、上下方向以外に前後方向を挙げることもでき、様々な方向を想定することができ、また、操作部材の移動形態も、回動又はスライド等、様々な形態を想定することができる。また、本実施形態では、抵抗力付与手段として、凹部と係合ピンとの係脱構造が例示されているが、抵抗力付与手段の形態は、それに限定れず、操作部材が押圧操作力により押し込まれてスプールが釣糸放出状態に切り換えられた際に操作部材に節度感のある抵抗力を付与できればどのような形態であっても構わない。
【符号の説明】
【００３９】
２ｂ  右フレーム（固定部材）
５ａ  スプール
１２  クラッチ機構
２０  クラッチ作動板（可動部材）
２１  操作部材
８０  凹部（抵抗力付与手段）
８２  係合ピン（抵抗力付与手段；凸状部材）
８４  バネ（抵抗力付与手段；付勢部材）
【図１】
2020099254.tif 000003
【図２】
2020099254.tif 000004
【図３】
2020099254.tif 000005
【図４】
2020099254.tif 000006
【図５】
2020099254.tif 000007
【図６】
2020099254.tif 000008